(57)【要約】【課題】貸出用光ディスクのみで他の添付物を用いることなく、貸出用光ディスクに対して直接返却期限を記憶しかつ表示する手段を提供する。【解決手段】円盤本体内に記録媒体を備え前記記録媒体に音声、画像又は映像等を記録した貸出用光ディスクであって、前記円盤本体における前記記録媒体以外の部位に実装されたアンテナと、記憶手段と、電子ペーパーとを有し、前記記憶手段は前記アンテナが受信した貸出情報を記憶すると共に記憶した貸出情報を前記アンテナから送信し、前記電子ペーパーは前記記憶手段に記憶された貸出情報を表示しかつ前記記憶手段及び前記電子ペーパーは前記アンテナから獲得した電力により駆動される。【選択図】図４
2008276895.tif 000002
【特許請求の範囲】
【請求項１】
円盤本体内に記録媒体を備え前記記録媒体に音声、画像又は映像等を記録した貸出用光ディスクであって、電磁界又は電波を介して貸出情報を送受信するアンテナと、前記アンテナが受信した貸出情報を記憶する記憶手段と、前記記憶手段に記憶された前記貸出情報を表示する電子ペーパーとを備え、前記アンテナ、前記記憶手段及び前記電子ペーパーは前記円盤本体における前記記録媒体以外の部位に実装されかつ前記記憶手段及び前記電子ペーパーは前記アンテナから獲得した電力により駆動されることを特徴とする貸出用光ディスク。
【請求項２】
円盤本体内に記録媒体を備え前記記録媒体に音声又は画像等を記録した貸出用光ディスクと、貸出用光ディスクの貸出情報を管理する管理装置とを備えた貸出用光ディスクの貸出情報管理システムであって、
前記貸出用光ディスクが、電磁界又は電波を介して貸出情報を送受信するアンテナと、前記アンテナが受信した貸出情報を記憶する記憶手段と、前記記憶手段に記憶された前記貸出情報を表示する電子ペーパーとを備え、前記アンテナ、前記記憶手段及び前記電子ペーパーは前記円盤本体における前記記録媒体以外の部位に実装されかつ前記記憶手段及び前記電子ペーパーは前記アンテナから獲得した電力により駆動され、
前記管理装置が、前記貸出用光ディスク毎に予め定められた貸出期間を格納する手段と、現在時刻を特定する時刻検出手段と、前記貸出期間及び前記現在時刻に基づいて前記貸出用光ディスクの返却期限を算出する手段と、算出された返却期限を含む貸出情報を前記貸出用光ディスクの前記アンテナとの間で送受信する読書き手段とを備えたことを特徴とする貸出用光ディスクの貸出情報管理システム。
【請求項３】
前記管理装置が、複数の光ディスクの各々のアンテナと同時に送受信を行うアンチコリージョン手段を有することを特徴とする請求項２に記載の貸出用光ディスクの貸出情報管理システム。
【発明の詳細な説明】
【技術分野】
【０００１】
本発明は、映画・アニメ・テレビ番組・音楽などの作品が記録されているコンパクトディスク(ＣＤ)・ＤＶＤ等の光ディスクを有料で貸し出すサービス（いわゆるレンタルサービス）に関し、特に貸出情報の管理システムに関する。
【背景技術】
【０００２】
ＣＤ・ＤＶＤ等の光ディスクを顧客に貸し出す際には、顧客に対してそれらの返却期限を提示すると同時に、それらを貸出中扱いとして返却期限を記録しておく必要がある。従来のレンタル対象物管理装置としては、例えば特許文献１及び２に示されたものがある。この従来例では、レンタル期限すなわち返却期限を顧客に提示するために、ＣＤ又はＤＶＤを貸し出す際に、返却期限を記入した紙を別途印刷し、貸出時に添付していた。
【特許文献１】特開２００６−２７７８８６号公報
【特許文献２】特開２００３−１８７５２４号公報
【発明の開示】
【発明が解決しようとする課題】
【０００３】
しかしながら、返却期限が記入された紙は単に添付されているだけであるため、レンタル対象物と合わせて管理する必要がある。そのため、本来のレンタル対象物である光ディスクだけでは返却期限を把握することができず、返却期限の記述された紙を紛失した場合にはレンタル対象物の返却期限が不明となるという問題を含んでいる。また、複数のレンタル対象物の返却期限が一律でない（例えば、１日レンタルのものと、１週間レンタルのものが混在する）場合に、それぞれの光ディスクに返却期限が記述された紙を添付することになるため管理が煩雑になるという問題もあった。
【０００４】
本発明は、上記のような課題を考慮し、レンタル対象物である光ディスクのみで他の添付物を用いることなく、光ディスクに対して直接返却期限を記憶しかつ表示する手段を提供することを目的とする。
【課題を解決するための手段】
【０００５】
上記の課題を解決する本発明による貸出用光ディスクは、円盤本体内に記録媒体を備え前記記録媒体に音声、画像又は映像等を記録した貸出用光ディスクであって、電磁界又は電波を介して貸出情報を送受信するアンテナと、前記アンテナが受信した貸出情報を記憶する記憶手段と、前記記憶手段に記憶された前記貸出情報を表示する電子ペーパーとを備え、前記アンテナ、前記記憶手段及び前記電子ペーパーは前記円盤本体における前記記録媒体以外の部位に実装されかつ前記記憶手段及び前記電子ペーパーは前記アンテナから獲得した電力により駆動されることを特徴とする。
【０００６】
また、本発明による貸出用光ディスクの貸出情報管理システムは、円盤本体内に記録媒体を備え前記記録媒体に音声又は画像等を記録した貸出用光ディスクと、貸出用光ディスクの貸出情報を管理する管理装置とを備えた貸出用光ディスクの貸出情報管理システムであって、前記貸出用光ディスクが、電磁界又は電波を介して貸出情報を送受信するアンテナと、前記アンテナが受信した貸出情報を記憶する記憶手段と、前記記憶手段に記憶された前記貸出情報を表示する電子ペーパーとを備え、前記アンテナ、前記記憶手段及び前記電子ペーパーは前記円盤本体における前記記録媒体以外の部位に実装されかつ前記記憶手段及び前記電子ペーパーは前記アンテナから獲得した電力により駆動され、前記管理装置が、前記貸出用光ディスク毎に予め定められた貸出期間を格納する手段と、現在時刻を特定する時刻検出手段と、前記貸出期間及び前記現在時刻に基づいて前記貸出用光ディスクの返却期限を算出する手段と、算出された返却期限を含む貸出情報を前記貸出用光ディスクの前記アンテナとの間で送受信する読書き手段とを備えたことを特徴とする。
【０００７】
さらに、好適には、前記管理装置が、複数の光ディスクの各々のアンテナと同時に送受信を行うアンチコリージョン手段を有することを特徴とする。
【発明の効果】
【０００８】
本発明による貸出用光ディスクは、マルチメディア作品等を記録した本来備えている記憶媒体とは別の部位に、アンテナと、記憶手段と、電子ペーパーとを実装している。アンテナにより外部の管理装置等と無線で相互情報伝達可能である。従って、返却期限等を含む貸出情報を外部の管理装置等と送受信することができる。アンテナから受信した貸出情報は、記憶手段に記憶することができる。また、記憶手段に記憶されている貸出情報をアンテナを介して外部の管理装置等へ送信することもできる。さらに、記憶手段に記憶されている貸出情報を電子ペーパーに送ることにより、視覚的に認識できる形態で表示することができる。
【０００９】
本発明によれば、貸出用光ディスク自体に返却期限を直接表示させることができ、かつその表示は外部との無線通信により書き換え可能である。よって、従来の紙の添付による返却期限の提示に比べて、顧客に対し確実に返却期限を認識させることができる。返却期限を印刷した紙を紛失するという事態は生じない。また、従来の、紙への印刷及び添付並びに紙に印刷されている情報を読む確認の作業が省かれるため、貸出作業及び返却作業を効率的に行える。さらに、紙資源の消費が不要となる。
【００１０】
さらに、本発明による貸出用光ディスクの貸出情報管理システムは、上記の貸出用光ディスクに加え、貸出情報を管理する管理装置を備えている。管理装置は、現在時刻を特定して返却期限を算出し、返却期限を含む貸出情報を貸出用光ディスクのアンテナとの間で送受信する手段を有する。これにより、貸出用光ディスクに貸出情報を書き込みかつ貸出用光ディスクに記憶されている貸出情報を読み取ることができる。
【００１１】
さらに、複数の光ディスクの各々のアンテナと同時に送受信を行うアンチコリージョン手段を備えていることから、効率的に貸出処理及び返却処理を行うことができる。
【発明を実施するための最良の形態】
【００１２】
以下、本発明の一実施例を示した図面を参照しながら本発明の実施形態を説明する。
図１は、本発明による貸出用光ディスク(図示せず)に実装された貸出情報処理部の概略構成図である。貸出情報処理部は、貸出用光ディスクにおける本来の記録媒体以外の部位に実装される（詳細は後述する）。すなわち、本発明により従来の一般的な貸出用光ディスクに付加される素子等は、その光ディスクの記録媒体の再生に影響を及ぼさないように実装される。
【００１３】
本発明の貸出用光ディスクの貸出情報処理部は、主として、ＲＦＩＤ(Radio Frequency Identification)部と、電子ペーパー部と、これらに共用される共用部とから構成される。ＲＦＩＤ部は、ＲＦＩＤ（無線識別）技術を利用した電波受信手段１０１と電波送信手段１０４を備えている。これらにより、外部の読書き装置と電磁界又は電波を介した非接触の近距離通信を行うことができる。共用部の電力獲得手段１０２は、この貸出情報処理部を駆動するために、電磁界又は電波より電磁誘導を用いて電力を獲得する手段である。本発明では、ＲＦＩＤ技術におけるパッシブタイプの方式を用いており、バッテリを内蔵せず、外部からの電磁界又は電波を情報伝達に利用すると同時に電力としても利用する。電波受信手段１０１により得た貸出情報（貸出日及び返却期限の情報を含む）は、共用部の記憶手段１０３に記憶される。記憶手段１０３に記憶されている貸出情報は、電波送信手段１０４から送信することができる。電子ペーパー部は、文字情報出力手段１０５を備える。これは、記憶手段１０３に記憶された貸出日や返却期限の情報を文字情報として表示するための手段である。電子ペーパー部を除くＲＦＩＤ部及び共用部の機能が、ＲＦＩＤ技術におけるＲＦＩＤタグに相当する。
【００１４】
図２は、図１の貸出情報処理部の具体的なハードウェア構成の一例を示す図である。アンテナ２０１は、図１の電波受信手段１０１及び電波送信手段１０４に相当する。ループアンテナが用いられ、電磁界や電波の受信、電磁誘導による電力の獲得及び電波の送信を行う。電力獲得装置２０２は、図１の電力獲得手段に相当し、アンテナ２０１と連係して動作し、電磁誘導による電力変換を行い、共用部及び電子ペーパー部の各要素に対して電力供給する、すなわち電源として機能する。
【００１５】
情報記憶チップ２０３は、図１の記憶手段１０３に相当し、不揮発性のメモリチップが用いられる。図示しないが、情報記憶チップ２０３には、書き込み制御を行う制御部も含まれている。暗号処理装置２０４は、情報記憶チップ２０３内の貸出情報の保護のために暗号化又は復号化を行う。電子インク制御装置２０５及び電子ペーパー表示装置２０６は、図１の文字情報出力手段１０５に相当する。電子インク制御装置２０５は、文字情報を情報記憶チップ２０３から読み込み、電子ペーパー表示装置２０６に表示させ、また消去する制御を行う。電子ペーパー表示装置２０６は、電子インク制御装置２０５の制御の下に文字情報を表示する。
【００１６】
ＲＦＩＤ技術によれば、電磁界や電波などを利用した非接触の情報記憶チップ読み書き機能を利用できる。また、複数のＲＦＩＤを同時に読み書きできる機能であるアンチコリージョン機能を利用して、レンタル対象物である光ディスクに実装された貸出情報処理部の情報記憶チップ２０３を一度に書き換えることが可能である。
【００１７】
また、ＲＦＩＤ部のアンテナ２０１が電磁界又は電波を受けている間は、電磁誘導によって無限に電力を得つづけることができるため、情報記憶チップ２０３内の情報更新を行っても余剰がある。そのため、この余剰電力を用いることで情報記憶チップ２０３の書き換えと同時に、電子ペーパー表示装置２０６の表示更新も合わせて行うことが可能となる。
【００１８】
電子ペーパー技術によれば、青・緑・赤の各液晶層を重ねてフルカラー表示を行うことができるが、モノクロ表示でもよい。液晶層に対して電界を印加することにより液晶を配向させて特定の文字を表示する。この液晶の配向は電界を取り去っても保持されるという特性がある。
【００１９】
本発明においては、貸出用光ディスクの貸出時に、光ディスクの貸出情報処理部に貸出日及び返却期限等を含む貸出情報を送信し、情報記憶チップ２０３に貸出情報を記憶し、その貸出情報に基づいて電子ペーパー表示装置２０６にその文字情報を表示することができる。つまり、貸出用光ディスク自体にこれらの文字情報が表示される。電子ペーパー表示装置２０６の文字情報は電磁界や電波などの電力供給が断たれ、電力供給がない状態においても、電子ペーパーの特性から文字情報を長時間表示し続けることが可能である。
【００２０】
また、貸出用光ディスクの返却時には、再度電磁界又は電波を用いて、情報記憶チップ２０３に記憶されている情報及び電子ペーパー表示装置２０６上の文字情報を消去することにより、再度別の利用者へ貸し出す準備を行うことができる。次回の貸し出しを行う際は同様の作業を繰り返すことで貸出用光ディスク上に表示される文字情報を非接触にて書き換えることが可能である。アンチコリージョン機能を利用して、複数の光ディスクに対して同時にこれらの処理を行うことができる。
【００２１】
図３は、貸出用光ディスクに実装された貸出情報処理部の返却期限更新処理のフローチャートである。まず、アンテナを介して外部の読書き装置との通信を開始し、ステップ３０１で電力を獲得する。ここで得た電力は、その後のすべての工程で利用される。ステップ３０２において書き換えられる貸出情報を受信する。貸出情報には、少なくとも貸出日及び返却期限の情報が含まれる。貸出情報のデータはセキュリティのために暗号化されている。ステップ３０３において暗号化データの復号化処理を行う。ステップ３０４において、情報記憶チップ内の情報更新を行う。ステップ３０２で得られた貸出情報をもとに情報記憶チップ内の情報更新を行う。ステップ３０５において、電子ペーパーの文字情報を更新する。ステップ３０４で更新された情報記憶チップ内の最新情報を電子ペーパー表示装置上に表示することにより更新する処理である。ステップ３０６において外部の読書き装置に対して更新終了通知を行う。
【００２２】
図４は、本発明の貸出用光ディスクを模式的に示した外観斜視図である。貸出用光ディスク４０１には、一般的にＣＤ及びＤＶＤと称されるものが含まれ、種々の規格がある。レンタルサービス用のものは、一般的には再生専用であり、音声・画像・映像等からなるマルチメディア作品が記録されている。このような光ディスクは、複数層構造をもつ円盤本体を備え、複数の層の１つである記録媒体層に１ビットに相当する凹凸を形成することによりデジタルデータが記録されている。これらの凹凸を赤外線レーザーを用いてデジタル情報として読み取り再生する。
【００２３】
図４は、貸出用光ディスク４０１の複数の層のうち最上層である印刷層４０１ａの側から見た場合の一構成例を示している。貸出用光ディスク４０１は、通常、中心には貫通孔がありその周囲にプラスチック部４０１ｂが環状に設けられている。印刷層４０１ａはプラスチック部４０１ｂの外周縁から貸出用光ディスク４０１の外周縁までの間の領域に延在している。
【００２４】
ループアンテナ２０１は、図示の例では、貸出用光ディスク４０１と同心の円形であり、印刷層４０１ａの内部に（すなわち印刷層４０１ａの厚みの中に）埋設されている。ループアンテナ２０１は適宜の巻数のコイルであり、コイル両端と中央のプラスチック部４０１ｂとの間には配線２０１ａが設けられている。ループアンテナ２０１及び配線２０１ａは、適宜の導電体から形成できる。
さらに、印刷層４０１ａのほぼ全域に電子ペーパー表示装置２０６が埋設されている。図示の例では、返却期限及び貸出日の年月日時分が文字情報として表示されている。
またさらに、中心近傍のプラスチック部４０１ｂには、電力獲得装置２０２、情報記憶チップ２０３、暗号処理装置２０４及び電子インク制御装置２０５の各素子が埋設されている。
【００２５】
通常、ループアンテナ２０１及び電子ペーパー表示装置２０６は、印刷層４０１ａの厚み（例えば、０．８mm程度）内に埋設可能であるが、その他の素子は、印刷層４０１ａよりも厚いためプラスチック部４０１ｂに実装することが好適である。プラスチック部４０１ｂは、貸出用光ディスク４０１の厚さとほぼ同じ厚さであり、この部分には光ディスク４０１の記憶媒体層は形成されていないからである。
【００２６】
図５は、図４に示した貸出用光ディスク４０１の中心を含む模式的な縦断面図である。貸出用光ディスク４０１の直径に比べて厚さを拡大して示している。光ディスク４０１は、最上層の印刷層４０１ａから下方に向かって、保護層４０１ｃ、記録媒体層４０１ｄ及び透明樹脂層４０１ｅを備えている。印刷層４０１ａには、ループアンテナ２０１及び電子ペーパー表示装置２０６が埋設され、プラスチック部４０１ｂには、電力獲得装置２０２、情報記憶チップ２０３、暗号処理装置２０４及び電子インク制御装置２０５の各素子が埋設されている。本発明による貸出情報処理部を設けた貸出用光ディスク４０１は、外形が従来の貸出用光ディスク４０１と一致しているため、取扱い及びディスク再生は従来と全く同様に行うことができる。貸出用光ディスク４０１を再生するときの読み取りは、透明樹脂層４０１ｅの側から行われるため、印刷層４０１ｅに埋設されたループアンテナ２０１及びプラスチック部４０１ｂに埋設された各素子は、影響を及ぼさない。
【００２７】
図６は、図４及び図５に示した貸出情報処理部を設けた貸出用光ディスク４０１の読書き装置を概略的に示す構成図である。この読書き装置と、貸出用光ディスクとを組み合わせることにより、貸出用光ディスクの貸出情報管理システムを構成する。読書き装置の器６０１は、１枚又は複数枚の貸出用光ディスクを収容可能である。器６０１の内部にはループアンテナ６０２が設けられている。図示の例では、ループアンテナ６０２は、器６０１の底部に埋設されている。ループアンテナ６０１は、図４に示した貸出用光ディスク４０１のループアンテナ２０１と同様の、適宜の巻数のコイルであり、図示しない読書き制御部に接続されている。ループアンテナ６０１は、貸出用光ディスクのループアンテナとの間で電磁界又は電波を互いに授受することにより、貸出情報のデータ送受信を行う。これは、ＲＦＩＤ技術を利用したものである。
【００２８】
また、読書き装置の読書き制御部（図示せず）は、現在時刻を特定する時刻検出手段及び対象となる貸出用光ディスクの返却期限を算出する手段を備えている。各貸出用光ディスク毎に予め定められている貸出期間は、その他のディスク個別情報と共に外部のデータベース６０３に格納されている。読書き制御部では、現在時刻に対して貸出期間を加算することにより返却期限を算出する。
【００２９】
また、アンチコリージョン機能を利用することにより、複数枚の貸出用光ディスクを同時に器６０１に入れて各光ディスクの貸出情報（貸出日及び返却期限）の更新を行うことができる。アンチコリージョン機能として、例えば、電磁界又は電波に対し複数の周波数チャネルを設定しておき所定のチャネルが使用中であるか否かを検知して空いていれば送信を開始し、使用中であれば他のチャネルを使用して送信する方式がある。
【００３０】
非接触型であるＲＦＩＤの特性により、貸出用光ディスクが保管ケースに入ったままの状態であっても更新を行うことができる。
【００３１】
図７は、外部のデータベース（ＤＢ）内に格納された貸出情報のデータ構成の一例である。項目７０１はメディアＩＤであり、それぞれの貸出用光ディスクを一意に特定する。項目７０２は、対象の貸出用光ディスクの貸出先すなわち顧客の氏名である。項目７０３は、対象の貸出用光ディスクの貸出日である。項目７０４は、対象の貸出用光ディスクの返却期限である。項目７０５は、対象の貸出用光ディスクの作品タイトルである。なお、外部ＤＢに格納された貸出情報は、対象の貸出用光ディスクが返却された後は、返却済であることを記録し、貸出履歴情報として保存してもよい。
【００３２】
図８は、貸出用光ディスクに実装された情報記憶チップ内の貸出情報のデータ構成の一例である。つまり、現時点でこの貸出用光ディスクは、貸出中である。項目８０１はメディアＩＤであり、それぞれの貸出用光ディスクを一意に特定する。項目８０２は、その時点でのその貸出用光ディスクの貸出先すなわち顧客の氏名である。項目８０３は、その貸出用光ディスクの貸出日である。項目７０４は、その貸出用光ディスクの返却期限である。
【００３３】
図９は、読書き装置（ループアンテナ６０２のみを示す）から、貸出情報処理部を設けた貸出用光ディスク４０１に対して貸出情報を送信し更新するイメージ図である。９０１は電磁界又は電波を表す。
【図面の簡単な説明】
【００３４】
【図１】本発明による貸出用光ディスク(図示せず)に実装された貸出情報処理部の概略構成図である。
【図２】図１の貸出情報処理部の一実施例のハードウェア構成図である。
【図３】本発明の処理手順を表すフローチャート図である。
【図４】貸出用光ディスクの複数の層のうち最上層である印刷層の側から見た場合の一構成例を示している。
【図５】図４に示した貸出用光ディスクの中心を含む模式的な縦断面図である。
【図６】図４及び図５に示した貸出情報処理部を設けた貸出用光ディスクの読書き装置を概略的に示す構成図である。
【図７】外部のデータベース（ＤＢ）内に格納された貸出情報のデータ構成の一例である。
【図８】貸出用光ディスクに実装された情報記憶チップ内の貸出情報のデータ構成の一例である。
【図９】本読書き装置から、貸出情報処理部を設けた貸出用光ディスクに対して貸出情報を送信し更新するイメージ図である。
【符号の説明】
【００３５】
１０１：電波受信手段（２０１：アンテナ）、１０２：電力獲得手段（２０２：電力獲得装置）、１０３：返却期限記憶手段（２０３：情報記憶チップ、２０４：暗号処理装置）、１０４：電波送信手段（２０１：アンテナ）、１０５：文字情報出力手段（２０５：電子インク制御装置、２０６：電子ペーパー表示装置）
４０１：光ディスク、４０１ａ：印刷層、４０１ｂ：プラスチック部、４０１ｃ：保護層、４０１ｄ：記録層、４０１ｄ：樹脂層
６０１：読書き装置の器、６０２：アンテナ、６０３：外部ＤＢ
９０１：電磁界又は電波
【図１】
2008276895.tif 000003
【図２】
2008276895.tif 000004
【図３】
2008276895.tif 000005
【図４】
2008276895.tif 000006
【図５】
2008276895.tif 000007
【図６】
2008276895.tif 000008
【図７】
2008276895.tif 000009
【図８】
2008276895.tif 000010
【図９】
2008276895.tif 000011